(57)【特許請求の範囲】
【請求項１】
商用電源から供給される電力を直流電圧に変換して出力する第１の電源回路と、前記第１の電源回路の出力電圧を検出する出力電圧検出部と、前記第１の電源回路の出力電圧を第１の電圧設定値とするための第１基準部と、前記第１の電源回路の出力電圧を降圧して直流電圧を出力する第２の電源回路と、前記第２の電源回路の出力基準電圧を規定する第２基準部と、前記第１の電源回路の出力電圧を前記第２基準部よりも高く前記第１の電圧設定値よりも低い第２の電圧設定値とするための出力電圧切換手段と、を備え、前記第１の電源回路が前記第２の電圧設定値を出力するときに、前記出力電圧検出部が前記出力電圧切換手段を介して前記第２基準部に接続され、且つ、前記第１の電源回路から前記出力電圧検出部及び前記出力電圧切換手段を介して前記第２基準部に電流を供給するように前記出力電圧切換手段を構成した電源回路を有する調理機器。
【請求項２】
商用電源から供給される電力を直流電圧に変換して出力する第１の電源回路と、前記第１の電源回路の出力電圧を検出する出力電圧検出部と、前記第１の電源回路の出力電圧を第１の電圧設定値とするための第１基準部と、前記第１の電源回路の出力電圧を降圧して直流電圧を出力する第２の電源回路と、前記第２の電源回路の出力基準電圧を規定する第２基準部と、前記第１の電源回路の出力電圧を前記第２基準部より高く前記第１の電圧設定値よりも低い第２の電圧設定値とするための出力電圧切換手段と、を備え、前記第１の電源回路が前記第２の電圧設定値を出力するときに前記出力電圧検出部が前記第２基準部に接続されるように前記出力電圧切換手段を構成するとともに、前記出力電圧検出部には、フォトカプラを備え、前記フォトカプラの発光ダイオードと並列に抵抗を接続した電源回路を有する調理機器。
【発明の詳細な説明】
【技術分野】
【０００１】
本発明は、機器が加熱動作を実行していない待機状態における消費電力を低減するようにした調理機器に関するものである。
【背景技術】
【０００２】
近年の家庭用電化製品においては、消費電力の低減を図ることが重要な課題であり、特に機器が稼働していない時の消費電力、いわゆる待機電力の低減を目的とした技術が提案されている。
【０００３】
従来、この種の調理機器は、加熱手段に電源電流を供給する第１の電源回路と、第１の電源回路の出力電圧を切り替える出力電圧切換手段とを備え、出力電圧切換手段は、加熱動作を実行していない待機状態にて、第１の電源回路の出力電圧の設定値を第１の電圧設定値からそれより低く設定した第２の電圧設定値に切り替えるよう構成している（例えば、特許文献１参照）。
【０００４】
図３は、特許文献１に記載された従来の調理機器の一部ブロック化した回路図を示すものである。図３に示すように、商用電源４１と、加熱手段２０と、ドライブ回路７０と、制御部８０と、第１の電源回路１２と、第２の電源回路１３と、出力電圧切換手段１４とから構成されている。
【０００５】
図３に示すように、第１の電源回路１２は、商用電源４１を降圧し、被調理物を加熱する加熱手段２０を駆動するドライブ回路７０や第２の電源回路１３に直流電圧を供給するもので、ダイオード１２１、抵抗１２２、電解コンデンサ１２３、電源ＩＣ１２４、コイル１２５、還流ダイオード１２６、電解コンデンサ１２７により構成されている。
【０００６】
ダイオード１２１と抵抗１２２で商用電源４１からの入力を半波整流し、電解コンデンサ１２３で平滑した直流電圧が電源ＩＣ１２４に入力される。電源ＩＣ１２４は、この入力電圧を、ツェナーダイオード１２８とフォトカプラ１２９から成るフィードバック回路の出力があるまで内部スイッチング素子を発振させ、コイル１２５と還流ダイオード１２６、電解コンデンサ１２７により直流電圧に変換して出力する。
【０００７】
フィードバック回路の出力があるのは、フォトカプラ１２９内蔵フォトトランジスタ１２９ａがオンするときであり、このフォトカプラ１２９内蔵フォトトランジスタ１２９ａがオンするのは、第１の電源回路１２の出力電圧がツェナーダイオード１２８とツェナーダイオード１４１とフォトカプラ１２９内蔵発光ダイオード１２９ｂの順電圧とで規定される第１の電圧設定値よりも高いときである。
【０００８】
したがって、第１の電源回路１２の出力電圧は、ツェナーダイオード１２８とツェナーダイオード１４１とフォトカプラ１２９内蔵発光ダイオード１２９ｂの順電圧とで規定される。
【０００９】
次に、出力電圧切換手段１４は、第１の電源回路１２の出力電圧の設定値を第１の電圧設定値（例えば２０Ｖ）と、この第１の電圧設定値より低く設定した第２の電圧設定値（例えば１０Ｖ）に切り替えるもので、ツェナーダイオード１４１とトランジスタ１４２と抵抗１４３と抵抗１４５により構成されている。
【００１０】
出力電圧切換手段１４のトランジスタ１４２がオフしているとき、ツェナーダイオード
１２８とツェナーダイオード１４１とは直列接続の状態となるので、第１の電源回路１２の出力電圧は、ツェナーダイオード１２８とツェナーダイオード１４１とフォトカプラ１２９内蔵発光ダイオード１２９ｂの順電圧とで規定される第１の電圧設定値（例えば２０Ｖ）となる。
【００１１】
出力電圧切換手段１４のトランジスタ１４２がオンしているとき、ツェナーダイオード１４１はトランジスタ１４２によりショート状態となる。このとき第１の電源回路１２の出力電圧は、ツェナーダイオード１２８とフォトカプラ１２９内蔵発光ダイオード１２９ｂの順電圧とで規定される第２の電圧設定値（例えば１０Ｖ）となる。トランジスタ１４２のオン／オフは、制御部８０から出力される信号で制御される。
【００１２】
第１の電源回路１２の出力電圧の設定値を、第１の電圧設定値（例えば２０Ｖ）から第２の電圧設定値（例えば１０Ｖ）に切り替えた直後、電解コンデンサ１２７の両端電圧は第１の電圧設定値（例えば２０Ｖ）であるため、第１の電圧設定値（例えば２０Ｖ）よりも低い定格電圧であるツェナーダイオード１２８には過電流が流れる恐れがある。このため抵抗１４３をツェナーダイオード１４１のカソードとトランジスタ１４２のコレクタの間に挿入することでツェナーダイオード１２８に過電流が流れることを防止している。
【００１３】
第２の電源回路１３は、トランジスタ１３１、抵抗１３２、ツェナーダイオード１３３、電解コンデンサ１３４により降圧型の定電圧回路を構成しており、第１の電源回路１２から供給された直流電圧を降圧し、操作部９０や、この操作部９０からの入力に基づき予め定められた調理シーケンスに従い加熱手段２０を駆動するドライブ回路７０や出力電圧切換手段１４を駆動する制御部８０などに直流電圧（例えば５Ｖ）を供給するものである。
【００１４】
以上のように、従来の商用電源を利用する調理機器は、出力電圧切換手段１４により、第１の電源回路１２の出力電圧の設定値を第１の電圧設定値からそれより低く設定した第２の電圧設定値に切り替えるよう構成されており、第１の電源回路１２の出力電圧が第２の出力設定値であるときには、ドライブ回路７０や第２の電源回路１３など、第１の電源回路１２の負荷で消費される電流が低減されることから、機器としての消費電力を抑えることができる。
【先行技術文献】
【特許文献】
【００１５】
【特許文献１】特開２００６−１５６１４７号公報
【発明の概要】
【発明が解決しようとする課題】
【００１６】
しかしながら、前記従来の構成では、第１の電源回路の出力電圧を下げるために、２種類の基準電圧を規定するための部品の追加が必要になるという課題があった。
【００１７】
また、第１の電源回路の出力電圧低下に伴い、第２の電源回路に流れる電流が減少するため、第２の電源回路の出力電圧も低下するが、第１の電源回路の出力電圧が低すぎると第２の電源回路の出力安定性が損なわれるため、第２の電源回路には充分な電流を流さねばならず、このために第１の電源回路の第２の電圧設定値は、第２の電源回路の出力電圧に対して充分な余裕のある値をとる必要があり、このことが機器の更なる低消費電力化の妨げとなっていた。
【００１８】
本発明は、前記従来の課題を解決するもので、基準電圧用部品を追加することなく消費電力の少ない調理機器を提供することを目的とする。
【課題を解決するための手段】
【００１９】
前記従来の課題を解決するために、本発明の調理機器は、商用電源から供給される電力を直流電圧に変換して出力する第１の電源回路と、前記第１の電源回路の出力電圧を検出する出力電圧検出部と、前記第１の電源回路の出力電圧を第１の電圧設定値とするための第１基準部と、前記第１の電源回路の出力電圧を降圧して直流電圧を出力する第２の電源回路と、前記第２の電源回路の出力基準電圧を規定する第２基準部と、前記第１の電源回路の出力電圧を前記第２基準部よりも高く前記第１の電圧設定値よりも低い第２の電圧設定値とするための出力電圧切換手段と、を備え、前記第１の電源回路が前記第２の電圧設定値を出力するときに、前記出力電圧検出部が前記出力電圧切換手段を介して前記第２基準部に接続され、且つ、前記第１の電源回路から前記出力電圧検出部及び前記出力電圧切換手段を介して前記第２基準部に電流を供給するように出力電圧切換手段を構成した電源回路を有するとしたものである。
【００２０】
これによって、第２基準部が第２の電源回路のみならず、第１の電源回路の基準電圧をも規定することができ、基準電圧用部品を追加することなく第１の電源回路の出力電圧を下げることができて、待機状態における消費電力を低減でき、消費電力の少ない調理機器を提供することができる。また、第１の電源回路が第２の電圧設定値を出力しているときに第２の電源回路の出力基準電圧を規定する第２基準部に充分な電流を流すことができ、第１の電源回路の出力電圧を下げることができる。
【００２１】
また、本発明の調理機器は、出力電圧検出部に備えたフォトカプラの発光ダイオードと並列に抵抗を接続した電源回路を有することによって、第１の電源回路が第２の電圧設定値を出力しているときでも、第２の電源回路の出力基準電圧を規定する第２基準部に充分な電流を流すことができ、第１の電源回路の出力電圧を更に下げることができて、待機状態における消費電力を低減でき、より消費電力の少ない調理機器を提供することができる。
【発明の効果】
【００２２】
本発明の調理機器は、基準電圧用部品を追加することなく第１の電源回路の出力電圧を下げることができて、待機状態における消費電力を低減でき、消費電力の少ない調理機器を提供することができ、省エネに寄与できる。また、第１の電源回路が第２の電圧設定値を出力しているときに第２の電源回路の出力基準電圧を規定する第２基準部に充分な電流を流すことができ、第１の電源回路の出力電圧を下げることができる。
【図面の簡単な説明】
【００２３】
【図１】本発明の実施の形態１における調理機器の一部ブロック化した回路図
【図２】本発明の実施の形態２における調理機器の一部ブロック化した回路図
【図３】従来の調理機器の一部ブロック化した回路図
【発明を実施するための形態】
【００２４】
第１の発明は商用電源から供給される電力を直流電圧に変換して出力する第１の電源回路と、前記第１の電源回路の出力電圧を検出する出力電圧検出部と、前記第１の電源回路の出力電圧を第１の電圧設定値とするための第１基準部と、前記第１の電源回路の出力電圧を降圧して直流電圧を出力する第２の電源回路と、前記第２の電源回路の出力基準電圧を規定する第２基準部と、前記第１の電源回路の出力電圧を前記第２基準部よりも高く前記第１の電圧設定値よりも低い第２の電圧設定値とするための出力電圧切換手段と、を備え、前記第１の電源回路が前記第２の電圧設定値を出力するときに、前記出力電圧検出部が前記出力電圧切換手段を介して前記第２基準部に接続され、且つ、前記第１の電源回路から前記出力電圧検出部及び前記出力電圧切換手段を介して前記第２基準部に電流を供給するように前記出力電圧切換手段を構成した電源回路を有することにより、第２基準部が第２の電源回路のみならず、第１の電源回路の基準電圧をも規定することができ、新たに基準電圧用部品を追加することなく第１の電源回路の出力電圧を下げることができて、待機状態における消費電力を低減でき、消費電力の少ない調理機器を提供することができる。また、第１の電源回路が第２の電圧設定値を出力しているときに第２の電源回路の出力基準電圧を規定する第２基準部に充分な電流を流すことができ、第１の電源回路の出力電圧を下げることができる。
【００２５】
第２の発明は、商用電源から供給される電力を直流電圧に変換して出力する第１の電源回路と、前記第１の電源回路の出力電圧を検出する出力電圧検出部と、前記第１の電源回路の出力電圧を第１の電圧設定値とするための第１基準部と、前記第１の電源回路の出力電圧を降圧して直流電圧を出力する第２の電源回路と、前記第２の電源回路の出力基準電圧を規定する第２基準部と、前記第１の電源回路の出力電圧を前記第２基準部より高く前記第１の電圧設定値よりも低い第２の電圧設定値とするための出力電圧切換手段と、を備え、前記第１の電源回路が前記第２の電圧設定値を出力するときに前記出力電圧検出部が前記第２基準部に接続されるように前記出力電圧切換手段を構成するとともに、前記出力電圧検出部にはフォトカプラを備え、前記フォトカプラの発光ダイオードと並列に抵抗を接続した電源回路を有する構成とすることにより、第１の電源回路が第２の電圧設定値を出力しているときでも、第２の電源回路の出力基準電圧を規定する第２基準部に充分な電流を流すことができるため、第１電源回路の出力電圧が第１の電圧設定値でも第２の電圧設定値のいずれであっても第２の電源回路は安定した出力が可能となり、第１の電源回路の出力電圧を更に下げることができて、待機状態における消費電力を低減でき、より消費
電力の少ない調理機器を提供することができる。
【００２６】
以下、本発明の実施の形態について、図面を参照しながら説明する。なお、この実施の形態によって本発明が限定されるものではない。
【００２７】
（実施の形態１）
図１は、本発明の第１の実施の形態における調理機器の一部ブロック化した回路図を示すものである。
【００２８】
図１において、第１の電源回路１は、商用電源２を降圧し、被調理物を加熱する加熱手段３を駆動するドライブ回路４や第２の電源回路５に直流電圧を供給するもので、ダイオード１ａ、抵抗１ｂ、電解コンデンサ１ｃ、電源ＩＣ１ｄ、コイル１ｅ、還流ダイオード１ｆ、電解コンデンサ１ｇにより構成されている。
【００２９】
ダイオード１ａのアノードは商用電源２に接続され、カソードは抵抗１ｂを介して電解コンデンサ１ｃの陽極端子と電源ＩＣ１ｄの入力端子に接続されている。電解コンデンサ１ｃの陰極端子はＧＮＤに接続（接地）されている。
【００３０】
電源ＩＣ１ｄの出力端子には、コイル１ｅと還流ダイオード１ｆのカソードとが接続されている。電解コンデンサ１ｇの陽極端子にはコイル１ｅを介して、電源ＩＣ１ｄの出力端子が接続されている。還流ダイオード１ｆのアノードと電解コンデンサ１ｇの陰極端子とは共にＧＮＤに接続（接地）されている。
【００３１】
このように構成された第１の電源回路１は、ダイオード１ａと抵抗１ｂとで商用電源２からの入力を半波整流し、電解コンデンサ１ｃで平滑した直流電圧を電源ＩＣ１ｄに入力し、電源ＩＣ１ｄは内部スイッチング素子を発振させ、コイル１ｅと還流ダイオード１ｆ、電解コンデンサ１ｇにより直流電圧に変換して出力する。
【００３２】
出力電圧検出部６は、第１の電源回路１の出力電圧を検出するもので、フォトカプラで構成されており、フォトカプラの内蔵フォトトランジスタ６ａのコレクタは電源ＩＣ１ｄの制御端子に接続され、エミッタは出力端子に接続されている。この内蔵フォトトランジスタ６ａが導通すると、電源ＩＣ１ｄは内部スイッチング素子の発振を停止させる。
【００３３】
一方、このフォトカプラの内蔵発光ダイオード６ｂについては、アノードが電源ＩＣ１ｄの出力端子に、カソードがツェナーダイオード７ａのカソードにそれぞれ接続されている。
【００３４】
ツェナーダイオード７ａのアノードはＧＮＤに接続（接地）されている。このツェナーダイオード７ａは、第１の電源回路１の出力電圧を第１の電圧設定値（例えば２０Ｖ）とするための第１基準部７である。
【００３５】
第２の電源回路５は、第１の電源回路１から供給された直流電圧を降圧し、操作部８や、この操作部８からの入力に基づき予め定められた調理シーケンスに従い加熱手段３を駆動する制御部９などに直流電圧を供給するものである。ＮＰＮトランジスタ５ａ、抵抗５ｂ、ツェナーダイオード５ｃ、電解コンデンサ５ｄにより降圧型の定電圧回路が構成されており、図３に示す従来の調理機器における第２の電源回路１３とほぼ同様の回路構成である。
【００３６】
ＮＰＮトランジスタ５ａのコレクタは、第１の電源回路１の出力である電解コンデンサ１ｇの陽極端子に接続されている。
【００３７】
ＮＰＮトランジスタ５ａのベースは抵抗５ｂを介してＮＰＮトランジスタ５ａのコレク
タと接続されるとともに、ツェナーダイオード５ｃのカソードとも接続されている。このツェナーダイオード５ｃのアノードはＧＮＤに接続（接地）されている。
【００３８】
ＮＰＮトランジスタ５ａのエミッタは電解コンデンサ５ｄの陽極端子に接続されており、この電解コンデンサ５ｄの陰極端子はＧＮＤに接続（接地）されている。
【００３９】
このように構成された第２の電源回路５は、ＮＰＮトランジスタ５ａのエミッタが出力部であり、ツェナーダイオード５ｃがこの第２の電源回路５の出力基準電圧（例えば５Ｖ）を規定する第２基準部である。
【００４０】
出力電圧切換手段１０は、第１の電源回路１の出力電圧を第１の電圧設定値と、この第１の電圧設定値よりも低い第２の電圧設定値（例えば７Ｖ）に切り替えるもので、ＰＮＰトランジスタ１０ａとＮＰＮトランジスタ１０ｂと抵抗１０ｃ〜１０ｇにより構成されている。
【００４１】
ＰＮＰトランジスタ１０ａのエミッタは、抵抗１０ｃを介してフォトカプラの内蔵発光ダイオード６ｂのカソードに、ＰＮＰトランジスタ１０ａのコレクタは、ツェナーダイオード５ｃのカソードに接続されている。ＰＮＰトランジスタ１０ａのベースは抵抗１０ｅを介してＮＰＮトランジスタ１０ｂのコレクタに接続されるとともに、抵抗１０ｄを介してＰＮＰトランジスタ１０ａのエミッタにも接続されている。
【００４２】
ＮＰＮトランジスタ１０ｂのエミッタは抵抗１０ｆを介してＮＰＮトランジスタ１０ｂのベースに接続されると共にＧＮＤにも接続（接地）されている。ＮＰＮトランジスタ１０ｂのベースは抵抗１０ｇを介して制御部９に接続されている。
【００４３】
以上のように構成された調理機器について、以下その動作、作用を説明する。
【００４４】
制御部９からＮＰＮトランジスタ１０ｂをオフさせる信号が出力されていると、ＰＮＰトランジスタ１０ａはオフする。このときフォトカプラの内蔵発光ダイオード６ｂには第１基準部７であるツェナーダイオード７ａが接続されているのみとなる。
【００４５】
これにより第１の電源回路１はその出力電圧が、フォトカプラの内蔵発光ダイオード６ｂの順電圧とツェナーダイオード７ａとで規定される第１の電圧設定値よりも大きくなりフォトカプラの内蔵フォトトランジスタ６ａが導通することになる。したがって、第１の電源回路１の出力電圧はフォトカプラの内蔵発光ダイオード６ｂの順電圧とツェナーダイオード７ａとで規定される第１の電圧設定値となる。
【００４６】
一方、制御部９からＮＰＮトランジスタ１０ｂをオンさせる信号が出力されていると、ＰＮＰトランジスタ１０ａもオンする。このときフォトカプラの内蔵発光ダイオード６ｂには第１基準部７であるツェナーダイオード７ａと抵抗１０ｃを介してツェナーダイオード５ｃが接続されている状態となる。（ＰＮＰトランジスタ１０ａのコレクタエミッタ間電圧は無視出来る程小さいとする）。
【００４７】
ツェナーダイオード５ｃは第２の電源回路５の出力基準電圧（例えば５Ｖ）を規定する第２基準部であり、第１の電源回路１の出力電圧を第１の電圧設定値（例えば２０Ｖ）とするための第１基準部７のツェナーダイオード７ａに比べ充分小さいものである。
【００４８】
このため、ＰＮＰトランジスタ１０ａがオンしているときは、第１の電源回路１の出力電圧が、フォトカプラの内蔵発光ダイオード６ｂの順電圧とツェナーダイオード７ａとで規定される第１の電圧設定値（例えば２０Ｖ）より低くても、フォトカプラの内蔵発光ダ
イオード６ｂの順電圧と抵抗１０ｃとツェナーダイオード５ｃとで規定される電圧よりも高ければ、内蔵発光ダイオード６ｂには電流が流れ内蔵フォトトランジスタ６ａが導通する。
【００４９】
したがって、ＰＮＰトランジスタ１０ａがオンしているときは、第１の電源回路１の出力電圧を第１の電圧設定値よりも低い電圧とすることができる。このＰＮＰトランジスタ１０ａがオンしているときの第１の電源回路１の出力電圧が第２の電圧設定値である。
【００５０】
第１の電源回路１の出力電圧の設定値を、第１の電圧設定値から第２の電圧設定値に切り替えた直後は、電解コンデンサ１ｇの両端電圧は第１の電圧設定値のままである。このため第１の電圧設定値よりも低い定格電圧であるツェナーダイオード５ｃに過電流が流れ、故障に至る恐れがある。この過電流による故障防止のため、内蔵発光ダイオード６ｂとＰＮＰトランジスタ１０ａのエミッタの間に抵抗１０ｃを接続している。
【００５１】
以上のように、本実施の形態においては、第１の電源回路１が第２の電圧設定値を出力するときに、出力電圧検出部６が第２基準部であるツェナーダイオード５ｃに接続されるように出力電圧切換手段１０を構成することにより、第１の電源回路１の出力電圧を第１の電圧設定値よりも低い第２電圧設定値とするために、第２の電源回路５の出力基準電圧を規定する第２基準部のツェナーダイオード５ｃを用いることができ、あらたに基準電圧用部品を追加することなく第１の電源回路の出力電圧を第１の電圧設定値よりも低い第２の電圧設定値とすることができる。
【００５２】
第１の電源回路１の出力電圧が第２の電圧設定値であるときには、ドライブ回路４や第２の電源回路５など、第１の電源回路１の負荷で消費される電流も低減されるので、機器としての消費電力を抑えることができて、待機状態における消費電力を低減でき、消費電力の少ない調理機器を提供することができる。
【００５３】
なお、本実施の形態では、第１基準部と第２基準部をツェナーダイオードで構成したが、特にツェナーダイオードでなくともよく、例えばシャントレギュレータＩＣなどで構成してもよい。
【００５４】
また、本実施の形態では、第１の電源回路の出力電圧を切り替えるために必要なツェナーダイオードが、図３で示した従来の場合と比較して減らすことができ、出力電圧切換手段１０の構成はそれ程、複雑でなく、また構成部品も比較的廉価な部品であるため、高価なツェナーダイオードを減らすことができ、省エネ性に優れた商品をより低価格で提供することもできるものである。
【００５５】
（実施の形態２）
図２は、本発明の第２の実施の形態の調理機器の一部ブロック化した回路図を示すものである。
【００５６】
図２に示すように、抵抗値Ｒ１１ａである抵抗１１ａがフォトカプラの内蔵発光ダイオード６ｂと並列に接続されている。
【００５７】
内蔵フォトトランジスタ６ａが導通し、電源ＩＣ１ｄの発振が停止するときフォトカプラの内蔵発光ダイオード６ｂに流れる電流をＩｆとし、この内蔵発光ダイオード６ｂに電流Ｉｆが流れるときの内蔵発光ダイオード６ｂ両端電圧をＶｆとする。
【００５８】
また、出力電圧切換手段１０により第１の電源回路１が第２の電圧設定値を出力するとき、出力電圧切換手段１０からＮＰＮトランジスタ５ａのベースと第２基準部であるツェ
ナーダイオード５ｃとの接続点に流れ込む電流をＩ１０とする。
【００５９】
他の構成は上記実施の形態１と同じであり、同一符号を付して説明を省略する。
【００６０】
以上のように構成された調理機器について、以下その動作、作用を説明する。
【００６１】
抵抗１１ａがないときに比べ、抵抗１１ａがあるとき、Ｉ１０はＶｆ／Ｒ１１ａだけ増加するので、この増加分Ｖｆ／Ｒ１１ａだけ、抵抗５ｂに流れる電流を減らしても、ＮＰＮトランジスタ５ａのベース電流とツェナーダイオード５ｃとに流れる電流は抵抗１１ａがないときと同じとなり、ツェナーダイオード５ｃの出力電圧や第２の電源回路５の出力電圧に対する影響はない。
【００６２】
したがって、抵抗５ｂの抵抗値Ｒ５ｂとすると、抵抗５ｂでの電圧降下をＶｆ／Ｒ１１ａ×Ｒ５ｂだけ減らすことができる。すなわち、抵抗１１ａがあることにより第２の電圧設定値をＶｆ／Ｒ１１ａ×Ｒ５ｂさらに下げることが可能となる。
【００６３】
以上のように、本実施の形態においては、出力電圧検出部６であるフォトカプラの内蔵発光ダイオード６ｂと並列に抵抗１１ａを接続することにより、第１の電源回路１が第２の電圧設定値を出力しているときでも、第２の電源回路５の出力基準電圧を規定する第２基準部のツェナーダイオード５ｃに充分な電流を流せるため、第１の電源回路１の第２の電圧設定値をより低い値にすることができる。これにより第１の電源回路１の負荷であるドライブ回路４などでの消費電力を抑えることが可能となる。
【００６４】
なお、本実施の形態では、第１基準部と第２基準部をツェナーダイオードで構成したが、特にツェナーダイオードでなくともよく、例えばシャントレギュレータＩＣで構成してもよい。
【産業上の利用可能性】
【００６５】
以上のように、本発明にかかる調理機器は、基準電圧用部品を追加することなく第１の電源回路の出力電圧を下げることができて、待機状態における消費電力を低減でき、省エネに寄与できるので、待機状態と加熱手段を有する他の加熱機器等の用途にも適用できる。
【符号の説明】
【００６６】
１  第１の電源回路
１ａ  ダイオード
１ｂ  抵抗
１ｃ  電解コンデンサ
１ｄ  電源ＩＣ
１ｅ  コイル
１ｆ  還流ダイオード
１ｇ  電解コンデンサ
２  商用電源
３  加熱手段
４  ドライブ回路
５  第２の電源回路
５ａ  ＮＰＮトランジスタ
５ｂ  抵抗
５ｃ  ツェナーダイオード（第２基準部）
５ｄ  電解コンデンサ
６  出力電圧検出部
６ａ  内蔵フォトトランジスタ
６ｂ  内蔵発光ダイオード
７  第１基準部
７ａ  ツェナーダイオード
８  操作部
９  制御部
１０  出力電圧切換手段
１０ａ  ＰＮＰトランジスタ
１０ｂ  ＮＰＮトランジスタ
１０ｃ、１０ｄ、１０ｅ、１０ｆ、１０ｇ  抵抗
１１ａ  抵抗
【図１】
0005605086.tif 000002
【図２】
0005605086.tif 000003
【図３】
0005605086.tif 000004